(57)【特許請求の範囲】
【請求項１】
水処理機器の流路に連結されて水処理機器の流路に洗浄水を循環させる循環部材と、
上記循環部材に連結されて上記水処理機器の流路と循環部材に洗浄水を循環させて上記水処理機器の流路を洗浄する循環モジュールとを含み、
上記循環部材は、上記水処理機器の排水部に連結される一つ以上の連結管と、上記水処理機器の流路に連結される循環管とを備え、
上記循環モジュールは、上記連結管と連通される流路を順に洗浄水を循環させ、
上記循環モジュールは、上記連結管と連通される流路を順に開放させる開閉手段を含み、
上記開閉手段は、上記連結管が着脱自在に結合される複数の連結ポートを有するハウジング、及び上記連結ポートと対応する開口孔を有するディスクを含むことを特徴とする水処理機器用洗浄装置。
【請求項２】
上記循環管は、上記水処理機器のフィルター部の吐出側に連結されることを特徴とする請求項１に記載の水処理機器用洗浄装置。
【請求項３】
上記連結管は、上記排水部を構成するコックおよびドレン管のうちの少なくとも一つに着脱自在に結合され、
上記循環管は、上記フィルター部の吐出側の浄水管又は浄水貯蔵部に着脱自在に結合されていることを特徴とする請求項２に記載の水処理機器用洗浄装置。
【請求項４】
上記開閉手段は、
上記ディスクを回転させることによって上記開口孔を所定の連結ポートに対応させて所定の連結ポートを開放させるモータをさらに含むことを特徴とする請求項１に記載の水処理機器用洗浄装置。
【請求項５】
上記各連結ポートには、上記連結管が連結されるとき連結ポートを開放させ、上記連結管が連結されないときに連結ポートを閉鎖させるチェック弁が設置されることを特徴とする請求項１に記載の水処理機器用洗浄装置。
【請求項６】
上記循環モジュールはさらに、上記水処理機器のコックとドレン管の数に従って上記連結ポートの開閉個数を設定する操作部を含むことを特徴とする請求項１に記載の水処理機器用洗浄装置。
【請求項７】
上記循環モジュールは、
上記循環部材に連結されるドレン管と、
上記循環部材とドレン管の連結部分に結合されて洗浄水の流路を切り替える流路切り替え部と、
上記循環部材に連結されて上記連結管の洗浄水を水処理機器の流路又はドレン管に選択的に流動させる循環ポンプとを含む請求項１に記載の水処理機器用洗浄装置。
【請求項８】
上記循環モジュールは、洗浄水の流動を測定して循環モジュールの作動が正常か否かを判断する洗浄水検知部をさらに含むことを特徴とする請求項７に記載の水処理機器用洗浄装置。
【請求項９】
上記洗浄水検知部は、循環ポンプの洗浄水の吐出側に配置されることを特徴とする請求項８に記載の水処理機器用洗浄装置。
【発明の詳細な説明】
【技術分野】
【０００１】
本発明は、水処理機器の内部を洗浄することができる水処理機器用洗浄装置及びその制御方法に関する。
【背景技術】
【０００２】
一般的に、水処理機器は原水をろ過して飲用できるようにする。上記水処理機器の例としては、浄水器、イオン水器などが含まれる。
【０００３】
上記水処理機器は原水をろ過するためのフィルター部と、上記フィルター部でろ過された浄水を取水して飲用できるように取水コックとを含む。また、上記水処理機器には浄水が貯蔵される浄水タンク、冷水タンク及び温水タンク、又は上記タンクのうち一部が設置されるタンク型と、上記タンクが設置されない直水型がある。
【０００４】
上記水処理機器のフィルター部、取水コック及び各種タンクは、浄水が流動できるように浄水管により連結される。
【０００５】
上記水処理機器を長時間使用すると、上記タンク、取水コック及び各種浄水管には水に含まれる異物が付く。従って、浄水器の使用者や管理者（coordinator）は周期的に、又は必要に応じて各タンクの内部を掃除する。
【０００６】
しかしながら、従来の技術では、取水コックや各種浄水管の流路が細長く形成され、洗浄道具が入らなかったり手が届かなくて、容易に掃除することができなかった。従って、上記水処理機器を掃除した後であっても、使用者は、異物が付いた上記取水コックや各種浄水管から水を飲むしかなかった。
【発明の概要】
【発明が解決しようとする課題】
【０００７】
本発明は、上記問題点を解決するためになされたものであり、したがって、洗浄道具や手が届かなくて洗浄が困難であった部分も洗浄できる水処理機器用洗浄装置及びその洗浄方法を提供することを目的とする。
【課題を解決するための手段】
【０００８】
請求項１の水処理機器用洗浄装置に係る発明は、上記目的を達成するため、水処理機器の流路に連結されて水処理機器の流路に洗浄水を循環させる循環部材と、上記循環部材に連結されて上記水処理機器の流路と循環部材に洗浄水を循環させて上記水処理機器の流路を洗浄する循環モジュールとを含み、上記循環部材は、上記水処理機器の排水部に連結される一つ以上の連結管と、上記水処理機器の流路に連結される循環管とを備え、上記循環モジュールは、上記連結管と連通される流路を順に洗浄水を循環させ、上記循環モジュールは、上記連結管と連通される流路を順に開放させる開閉手段を含み、上記開閉手段は、上記連結管が着脱自在に結合される複数の連結ポートを有するハウジング、及び上記連結ポートと対応する開口孔を有するディスクを含むことを特徴とする。
【０００９】
請求項２の水処理機器用洗浄装置に係る発明は、請求項１に記載の発明において、上記循環管は、上記水処理機器のフィルター部の吐出側に連結されることを特徴とする。
【００１０】
請求項３の水処理機器用洗浄装置に係る発明は、請求項２に記載の発明において、上記連結管は、上記排水部を構成するコックおよびドレン管のうちの少なくとも一つに着脱自在に結合され、上記循環管は、上記フィルター部の吐出側の浄水管又は浄水貯蔵部に着脱自在に結合されていることを特徴とする。
【００１１】
請求項４の水処理機器用洗浄装置に係る発明は、請求項１に記載の発明において、上記開閉手段は、上記ディスクを回転させることによって上記開口孔を所定の連結ポートに対応させて所定の連結ポートを開放させるモータをさらに含むことを特徴とする。
【００１２】
請求項５の水処理機器用洗浄装置に係る発明は、請求項１に記載の発明において、上記各連結ポートには、上記連結管が連結されるとき連結ポートを開放させ、上記連結管が連結されないときに連結ポートを閉鎖させるチェック弁が設置されることを特徴とする。
【００１３】
請求項６の水処理機器用洗浄装置に係る発明は、請求項１に記載の発明において、上記循環モジュールはさらに、上記水処理機器のコックとドレン管の数に従って上記連結ポートの開閉個数を設定する操作部を含むことを特徴とする。
【００１４】
請求項７の水処理機器用洗浄装置に係る発明は、請求項１に記載の発明において、上記循環モジュールは、上記循環部材に連結されるドレン管と、上記循環部材とドレン管の連結部分に結合されて洗浄水の流路を切り替える流路切り替え部と、上記循環部材に連結されて上記連結管の洗浄水を水処理機器の流路又はドレン管に選択的に流動させる循環ポンプとを含む。
【００１５】
請求項８の水処理機器用洗浄装置に係る発明は、請求項７に記載の発明において、上記循環モジュールは、洗浄水の流動を測定して循環モジュールの作動が正常か否かを判断する洗浄水検知部をさらに含むことを特徴とする。
【００１６】
請求項９の水処理機器用洗浄装置に係る発明は、請求項８に記載の発明において、上記洗浄水検知部は、循環ポンプの洗浄水の吐出側に配置されることを特徴とする。
【発明の効果】
【００２４】
上述したように、本発明によれば、洗浄道具や手が届かなくて洗浄が困難であった部分も容易に洗浄できる。
【００２５】
本発明によれば、水処理機器の流路が、部分的に洗浄されなかったり、水圧差によって洗浄効率が減少するのを防止することができる。
【００２６】
本発明によれば、洗浄時の誤作動を正確に検出することができ、騷音を減少させることができる。
【図面の簡単な説明】
【００２７】
【図１】  本発明による水処理機器と洗浄装置の実施の形態を例示的に示したブロック図である。
【００２８】
【図２】  図１の洗浄装置の構成を示したブロック図である。
【００２９】
【図３】  図２の洗浄装置を示した斜視図である。
【００３０】
【図４】  図３の洗浄装置を構成する連結管と連結ポートの結合関係を示した展開図で
ある。
【００３１】
【図５】  図２の洗浄装置の開閉手段の一例を示した構成図である。
【００３２】
【図６】  図２の洗浄装置の制御部と水処理機器の制御部が電源供給ケーブルに連結さ
れる構造を示した構成図である。
【００３３】
【図７】  本発明による洗浄装置の洗浄方法の実施の形態を例示的に示したフローチャ
ートである。
【発明を実施するための形態】
【００３４】
上記目的を達成するための本発明による水処理機器用洗浄装置の具体的な実施の形態を詳細に説明する。
【００３５】
本発明の水処理機器用洗浄装置は、タンク型浄水器と直水型浄水器に適用することができる。この説明では、一例として、タンク型の浄水器に洗浄装置を設置した場合を記載する。
【００３６】
図１は、本発明による水処理機器と洗浄装置の一実施の形態を例示的に示したブロック図である。
【００３７】
図１を参照すると、上記水処理機器用洗浄装置は、上記水処理機器に洗浄水を循環させることによって水処理機器の内部流路を洗浄する。
【００３８】
先ず、本発明による洗浄装置１００が適用される水処理機器１の一例について説明する。
【００３９】
上記水処理機器１は、水道管５や入れ替え可能なディスペンサー用水筒から流入された水をろ過するためにフィルター部１０を含む。上記フィルター部１０の例としては、セディメントフィルター（sediment filter）、プレカーボンフィルター（pre-carbon filter）、メンブレンフィルター（membrane filter）、及びポストカーボンフィルター（post-carbon filter）などを含むことができる。
【００４０】
上記セディメントフィルターは、不織布を用いて原水に含有された異物と浮遊物質をろ過するものである。上記プレカーボンフィルターは、界面活性炭を用いて原水に含有された塩素成分や臭いなどをろ過するものである。上記メンブレンフィルターは、セルロース系繊維を使用した多孔性膜を通過させて原水をろ過するものである。上記ポストカーボンフィルターは、界面活性炭より吸着力が相対的に優れており、色素と臭いを除去するものである。
【００４１】
上記水処理機器１は、上記フィルター部１０でろ過された浄水が貯蔵される浄水貯蔵部２０を含む。上記浄水貯蔵部２０は、浄水タンク２１と、温水タンク２５と、冷水タンク２３とを含むことができる。上記フィルター部１０でろ過された浄水は、浄水タンク２１に貯蔵される。上記浄水タンク２１から吐出された浄水は、温水タンク２５と冷水タンク２３とに流入される。あるいはまた、上記浄水貯蔵部２０は、冷水タンク２３と温水タンク２５とを含むだけでもよい。
【００４２】
上記冷水タンク２３には、浄水を冷却させるための冷却装置（不図示）を設置することができ、上記温水タンク２５には、浄水を加熱するためのヒーター（不図示）を設置することができる。
【００４３】
上記浄水貯蔵部２０の流入側には、浄水が通過するときに水位を測定する水位調節部２２を設置することができる。この場合、上記水位調節部２２は、フィルター部１０から吐出された浄水が浄水タンク２１に流入されるように、浄水タンク２１の浄水流入側に配置される。該水位調節部２２は、浄水が通過するとき浄水タンク２１の水位を検知し、上記浄水タンク２１が満水になると、浄水の流入を遮断する。
【００４４】
上記浄水貯蔵部２０は、浄水管により排水部３０に連結される。上記排水部３０は、浄水タンク２１と冷水タンク２３とに連結される冷／浄水コック３１と、上記温水タンク２５に連結される温水コック３２と、上記冷水タンク２３と温水タンク２５の水を外部にそれぞれ排水させるドレン管３３、３４とを含むことができる。
【００４５】
この場合、上記冷／浄水コック３１は、上記浄水タンク２１に連結された浄水管と上記冷水タンク２３に連結された浄水管とに連結された単一の浄水管に連結することができる。さらに、上記温水コック３２は、温水タンク２５に連結された浄水管に連結することができる。これに加えて、開閉部材３３ａ、３４ａを上記各ドレン管３３、３４の吐出側にそれぞれ設置して、以下で説明する洗浄装置１００の連結管１１３、１１４が結合されることにより開閉部材３３ａ、３４ａが自動で開放できるようにすることもできる。
【００４６】
上記冷／浄水コック３１と温水コック３２は、コック３１、３２の内部流路をそれぞれ手動で開閉するためのレバー（不図示）を含むことができる。この場合、上記各レバーが加圧されると、コック３１、３２が個別に開放されることができる。各レバーが開放されると、該当コック３１、３２の流路が閉鎖されることができる。
【００４７】
さらに、上記冷／浄水コック３１と温水コック３２は、各コック３１、３２の内部の流路を電磁気的に開閉するために、それぞれ電子式弁（不図示）を含むことができる。
上記電子式弁としては、ソレノイド弁（solenoid valve）を挙げることができる。
【００４８】
上記水処理機器１の冷／浄水コック３１と温水コック３２に電子式弁が用いられる場合、電子式弁に電源を供給するために接続端子５１（図６参照）が上記水処理機器１の制御部５０（図６参照）に設置される。上記制御部５０の接続端子５１は、上記電子式弁に電源を供給する配線（不図示）の接続端子と着脱自在に結合される。
【００４９】
次に、上記水処理機器用洗浄装置について説明する。
【００５４】
図２は、本発明の洗浄装置の構成の実施の形態を例示的に示したブロック図である。図３は、図２の洗浄装置を示した斜視図である。
【００５０】
図２及び図３を参照すると、上記洗浄装置１００は、循環部材１１１〜１１４および１１７と、循環モジュール１２０とを含んでいる。
【００５１】
上記循環部材１１１〜１１４および１１７は、水処理機器の流路に連結されて、水処理機器１の流路に洗浄水を循環させる。該循環部材１１１〜１１４および１１７は、水処理機器の流路とともに、無限ループ（infinite loop）を形成する。
【００５２】
上記循環部材１１１〜１１４および１１７は、水処理機器１の排水部３０に連結される一つ以上の連結管１１１〜１１４と、上記水処理機器のフィルター部１０の吐出側に連結される循環管１１７とを含むことができる。
【００５３】
上記連結管１１１〜１１４は、水処理機器１のコック３１、３２とドレン管３３、３４とを含む排水構造に連結するのに充分な数とすることができる。水処理機器が少ない排水構造を有しているので、上記連結管１１１〜１１４のうち一部は排水構造と連結されるが、残りの連結管が排水構造と連結されない。
【００５４】
上記連結管１１１〜１１４は、上記排水部３０を構成するコック３１、３２および／またはドレン管３３、３４に着脱自在に連結することができる。この場合、上記各連結管１１１〜１１４の一端部にフィッティング装置又はコネクター１１１ａ〜１１４ａを結合して、上記各連結管１１１〜１１４を上記コック３１、３２とドレン管３３、３４に着脱可能に連結することができるように構成することができる。さらに、上記各連結管１１１〜１１４の他端部にコネクター１１１ａ〜１１４ａをそれぞれ結合して、上記各連結管１１１〜１１４を上記循環モジュール１２０の連結ポート１３１〜１３４にそれぞれ着脱可能に連結することができるように構成することができる。
【００５５】
上記コネクター１１１ａ〜１１４ａをコック３１、３２とドレン管３３、３４に連結すると、上記コネクター１１１ａ〜１１４ａを引っ張ったり押すことで、上記コック３１、３２とドレン管３３、３４から上記コネクター１１１ａ〜１１４ａを容易に分離することができる。該コネクター１１１ａ〜１１４ａの構造は、多様な形態で形成することができる。
【００５６】
上記循環管１１７は、フィルター部１０の吐出側に連結することができる。例えば、上記循環管１１７は、フィルター部１０の吐出側の浄水管１１や、浄水貯蔵部２０の浄水タンク２１に着脱可能に結合することができる。この場合、上記の連結管１１１〜１１４のコネクター１１１ａ〜１１４ａと同じ形態のコネクター１１７ａを上記循環管１１７の両端部に設置することができる。
【００５７】
フィルター部１０を水処理機器１から分離すると、上記循環管１１７のコネクター１１７ａは、上記フィルター部１０の吐出側の浄水管２２に連結することができる。この場合、上記フィルター部の吐出側の浄水管２２は、フィルター部１０と浄水タンク２１とを互いに連結する浄水管に当てはまる。
【００５８】
さらに、上記浄水貯蔵部２０の水位調節部２２を浄水管から分離した後に、上記循環管１１７のコネクター１１７ａを上記水位調節部２２に連結することができる。
【００５９】
上記連結管１１１〜１１４または循環管１１７には、洗浄水をろ過させるためのメッシュ網１１５を設置することができる。上記メッシュ網１１５は、連結管１１１〜１１４と循環管１１７に洗浄水の水圧が大きくかからない程度のメッシュ（mesh）を有している。図２に示すように、上記メッシュ網１１５は、連結管１１１〜１１４のコネクター１１１ａ〜１１４ａに設置されている。しかしながら、上記メッシュ網１１５は、は、連結管と循環管の内部に設置することもできる。
【００６０】
この場合、上記メッシュ網１１５は、連結管１１１〜１１４の他端部側のコネクター１１１ａ〜１１４ａに着脱自在に結合することができる。従って、上記水処理機器１に連結管１１１〜１１４を設置する前や、連結管１１１〜１１４を分離した後に、上記メッシュ網１１５を容易に洗浄したり新しいものに交換することができる。
【００６１】
上記連結管１１１〜１１４は、上記循環モジュール１２０を床に置いた場合に、上記水処理機器１に配置されたコック３１、３２／ドレン管３３、３４と循環モジュール１２０に結合することができる充分な長さとすることができる。さらに、上記循環管１１７は、また、循環モジュール１２０を床に置いた場合に、水処理機器１の上側に配置されたフィルター部１０の吐出側の浄水管１１や浄水タンク２１に結合することができる充分な長さとすることができる。従って、上記循環管１１７は、連結管１１１〜１１４よりも相対的に長くすることができる。
【００６２】
上記循環モジュール１２０は、洗浄剤投入部１２１と中和剤投入部１２２を含んでおり、洗浄剤（detergent）と中和剤（counteragent）を投入することができる。上記洗浄剤投入部１２１と中和剤投入部１２２は、循環ポンプ１７３の洗浄水の吐出側又は流入側に連結することができる。従って、上記循環モジュール１２０において、洗浄水の流動性が高い部分に洗浄剤と中和剤を投入することで、上記洗浄剤と中和剤が浄水に早い時間内に混合されるようにすることができる。
【００６３】
これに代えて、上記循環モジュール１２０に洗浄剤投入部１２１と中和剤投入部１２２を設置することなく、使用者や管理者が浄水タンク２１又は循環モジュール１２０の流路に洗浄剤と中和剤を直接投与することもできる。
【００６４】
上記洗浄剤としては、水処理機器の内部表面を洗浄及び殺菌することができる多様な化学物質が使用できる。さらに、上記中和剤としては、洗浄剤の成分に応じて適切な化学物質を適用する必要がある。
【００６５】
上記洗浄剤の一例としては、大韓民国特許公開番号１０−２００６−０１２９６７０号公報に開示されているような洗浄剤を適用することができる。この公開公報には、二酸化塩素を含む第１次洗浄液を用いて１次洗浄し、アンモニウムイオン及び水酸化イオンを含む２次洗浄液を用いて２次洗浄することを含む洗浄方法が開示されている。本発明の実施の形態によれば、上記した洗浄剤の他に、多様な洗浄剤を用いることが可能である。
【００６６】
上記循環モジュール１２０には、上記連結管１１１〜１１４がそれぞれ連結される２個以上の連結ポート１３１〜１３４と、上記循環管１１７が連結される一つの循環ポート１３７とを形成することができる。この場合、上記連結ポート１３１〜１３４は、連結管１１１〜１１４のコネクター１１１ａ〜１１４ａと着脱自在に連結され、上記循環ポート１３７は、循環管１１７のコネクター１１７ａと着脱自在に連結される。
【００６７】
上記連結ポート１３１〜１３４は、循環モジュール１２０のケースの上面に形成することができる。従って、上記循環モジュール１２０を床に置いたときに、上記連結管１１１〜１１４のコネクター１１１ａ〜１１４ａを上記連結ポート１３１〜１３４の上側にそれぞれ容易に結合させることが可能となる。さらに、複数の連結管１１１〜１１４を連結ポート１３１〜１３４にそれぞれ正常に連結したか否かを視覚的に確認することが可能となる。
【００６８】
上記循環ポート１３７は、循環モジュール１２０のケースの側面に形成することができる。従って、上記循環管１１７のコネクター１１７ａを上記循環モジュール１２０の循環ポート１３７に結合すると、上記循環モジュール１２０を床に置くことができる。
【００６９】
また、上記循環モジュール１２０は、上記連結ポート１３１〜１３４にそれぞれ連結される複数の連結流路部１４１と、上記連結流路部１４１を一つの流路に統合して上記循環ポート１３７に連結させる統合流路部１４２とを含むことができる。上記連結流路部１４１は、統合流路部１４２から分岐している。連結流路部１４１と統合流路部１４２は、以下で説明する開閉手段１６０に形成することもできる。
【００７０】
これに加えて、上記循環モジュール１２０において、上記統合流路部１４２と上記循環ポート１３７とが連結される部分に排水ポート１４４を形成することができる。
【００７１】
連結ポート１３１〜１３４の上側を開閉させるために、上記循環モジュール１２０にカバー１４６を設置することができる。上記カバー１４６は、連結ポート１３１〜１３４に異物が流入するのを防止する。
【００７２】
上記循環モジュール１２０に電源コード１４７を連結して、循環モジュール１２０に外部電源を供給することができる。循環モジュール１２０をオン／オフさせるためのスイッチ１４８を上記循環モジュール１２０に設置することができる。
【００７３】
上記循環モジュール１２０に開閉手段１６０を設置することができる。上記連結管１１１〜１１４は、開閉手段１６０に着脱自在に結合されている。上記開閉手段１６０は、上記連結管１１１〜１１４と連通する流路を順に開放させる。流路は、少なくとも一つの流路を構成するグループに分けられており、このグループに洗浄水が順に循環されることにより流路を洗浄する。この開閉手段１６０については、以下に詳しく説明する。
【００７４】
上記循環モジュール１２０はさらに、上記水処理機器１のコック３１、３２とドレン管３３、３４の数に従って上記連結ポート１３１〜１３４の数を設定するために、操作部１５０を含むことができる。この場合、コック３１、３２の個数とドレン管３３、３４の個数に関する情報を上記操作部１５０のディスプレイ部１５３に可視化することができる。
【００７５】
従って、使用者や管理者が操作部１５０を用いることによりコック３１、３２とドレン管３３、３４の数を入力すると、上記循環モジュール１２０の制御部１８０は、上記開閉手段１６０を制御して、少なくとも一つを含む各グループに分けられた上記コック３１、３２とドレン管３３、３４のグループを順に開放させて、一つの流露を含む各グループに分けられた上記水処理機器１の流路の内部を順に洗浄することができる。
【００７６】
例えば、冷水タンク２３、冷水タンク２３のドレン管３３、温水タンク２５、温水タンク２５のドレン管３４を順に洗浄することができる。また、上記冷水タンク２３とそのドレン管３３を同時に洗浄した後、上記温水タンク２５とそのドレン管３４を同時に洗浄することができる。
【００７７】
また、図示していないが、上記循環モジュール１２０の連結ポート１３１〜１３４に上記連結管１１１〜１１４の結合有無を検知するための結合検知センサー（不図示）を設置することができる。この場合、上記連結ポート１３１〜１３４に連結管１１１〜１１４がそれぞれ結合されると、上記循環モジュール１２０の制御部１８０は、連結管１１１〜１１４がどの連結ポート１３１〜１３４と連結されているかを判断することができる。上記循環モジュール１２０の制御部１８０は、開閉手段１６０を制御して少なくとも一つの連結ポートを含む各グループに分けられた上記連結管１１１〜１１４と結合された連結ポート１３１〜１３４のグループを開放させて、少なくとも一つの流路を含む各グループに分けられた上記水処理機器１の内部流路を順位開放することができる。
【００７８】
上記循環モジュール１２０の連結ポート１３１〜１３４に結合検知センサーを設置した場合には、上記操作部１５０を用いてコック３１、３２の数とドレン管３３、３４の数を入力しなくてもよい。
【００７９】
上記循環モジュール１２０の操作部１５０には、コック３１、３２の数、ドレン管３３、３４の数、循環洗浄、洗浄水中和、洗浄水排水およびバッチ（batch）洗浄に関するボタン部１５１ａ〜１５１ｆを形成することができる。ボタン部１５１ａ〜１５１ｆには、機械式又はタッチパッド方式を適用することができる。
【００８０】
洗浄水のエラーメッセージをディスプレイしたり、アラームで知らせるために、上記操作部１５０にディスプレイ部１５３とブザー１５５を設置することができる。この場合、上記ディスプレイ部１５３として、ＬＥＤや液晶表示パネルを適用することができる。
【００８１】
上記循環モジュール１２０は、循環部材１１１〜１１４、１１７に連結される洗浄水ドレン管１４８と、上記洗浄水ドレン管１４８と循環部材１１１〜１１４、１１７の連結部分に結合されて洗浄水の流路を切り替える流路切り替え部１７１と、上記循環部材に連結されて上記洗浄水を水処理機器１の流路又は洗浄水ドレン管１４８に流動させる循環ポンプ１７３とを含むことができる。
【００８２】
この場合、上記洗浄水ドレン管１４８は、連結管１１１〜１１４と循環管１１７とが互いに連結されている部分に連結される。上記流路切り替え部１７１は、上記連結管１１１〜１１４、循環管１１７、洗浄水ドレン管１４８とが互いに連結されている部分に結合することができる。上記循環ポンプ１７３は、上記連結管１１１〜１１４又は循環管１１７に連結することができる。
【００８３】
上記洗浄水ドレン管１４８は、循環モジュール１２０の排水ポート１４４に着脱自在に連結することができる。この場合、循環モジュール１２０から排水された洗浄水は、上記洗浄水ドレン管１４８を介して流し台や下水口に排出される。
【００８４】
上記流路切り替え部１７１として、上記連結管１１１〜１１４に流入された洗浄水を循環管１１７又はドレン管１４８に選択的に流動させる三方弁（three way valve）が設けられる。
【００８５】
上記循環ポンプ１７３は、内部にインペラ（不図示）とポンピングモータ（不図示）を有することができる。
【００８６】
上記循環モジュール１２０はさらに、洗浄水の流動を測定して上記循環モジュール１２０の誤作動有無を判断する洗浄水検知部１７５を含むことができる。この場合、上記洗浄水検知部１７５としては、流圧センサー又は流量センサーを適用することができる。
【００８７】
上記洗浄水検知部１７５は、以下の理由から、循環ポンプ１７３の洗浄水の吐出側に配置することができる。
【００８８】
上記循環ポンプ１７３が正常に作動しないか、又は、上記開閉手段１６０が連結ポート１３１〜１３４の流路を完全に開放できないことがある。この場合、上記循環ポンプ１７３の洗浄水の吐出側に十分な水圧を加えることができないことがある。従って、上記洗浄水検知部１７５を洗浄水の吐出側に設置することで、上記開閉手段１６０と循環ポンプ１７３の正常作動有無を正確に判断することが可能となる。
【００８９】
図４は、洗浄装置を構成する連結管と連結ポートを示した展開図である。
【００９０】
図４を参照すると、上記循環モジュール１２０の各連結ポート１３１〜１３４にチェック弁１３６を個別に設けることができる。上記チェック弁１３６は、上記連結管１１１〜１１４が連結されたときに連結ポート１３１〜１３４の流路を開放する。一方、上記チェック弁１３６は、上記連結管１１１〜１１４が連結されていないときに連結ポート１３１〜１３４の流路を閉鎖する。
【００９１】
この場合、上記各チェック弁１３６は、上記各連結ポート１３１〜１３４の内部に配置される開閉部材１３６ａと、上記開閉部材を弾性的に支持するバネ１３６ｂと、上記開閉部材の上側に結合されて上記開閉部材が上昇した状態で連結ポート１３１〜１３４を閉鎖させるパッキング１３６ｃとを含むことができる。
【００９２】
上記連結ポート１３１〜１３４に連結管１１１〜１１４が結合されると、それぞれ、上記連結管１１１〜１１４のメッシュ網１１５が上記連結ポート１３１〜１３４の開閉部材１３６ａを加圧して上記連結ポート１３１〜１３４の流路を開放させる。このとき、洗浄水は、上記連結ポート１３１〜１３４の流路を通過することができる。
【００９３】
一方、上記連結ポート１３１〜１３４に連結管１１１〜１１４が結合されないと、それぞれ、上記チェック弁１３６の開閉部材１３６ａが加圧されず、上記連結ポート１３１〜１３４の流路が閉鎖される。このとき、上記チェック弁１３６は、バネ１３６ｂとパッキング１３６ｃとの間の相互作用により、上記連結ポート１３１〜１３４を通じて外部の空気が流入するのを防止することができる。
【００９４】
図５は、洗浄装置の開閉手段の一例を示した構成図である。
【００９５】
図５を参照すると、上記開閉手段１６０は、ハウジング１６１と、ディスク１６３と、モータ１６５とを含むことができる。
【００９６】
上記ハウジング１６１は、上記連結管１１１〜１１４にそれぞれ結合される複数の連結ポート１３１〜１３４と、上記各連結ポート１３１〜１３４と個別に連通される複数の連結流路部１４１と、上記連結流路部と連通される統合流路部１４２とを含むことができる。
【００９７】
上記ハウジング１６１の連結流路部１４１に対応するように、一つの開口孔１６３ａを上記ディスク１６３に形成することができる。
【００９８】
上記モータ１６５は、上記ディスク１６３を回転させて上記開口孔１６３ａを該当連結ポート１３１〜１３４の連結流路部１４１に対応させて、該当連結ポート１３１〜１３４を開放させる。このようなモータ１６５として、ディスクを所定角度ずつ回転させるステッピングモータ（stepping motor）が挙げられる。
【００９９】
このようなディスク型開閉手段１６０の場合、一つのモータ１６５を用いるため、上記洗浄装置１００の製造単価と重量を低減させることができる。
【０１００】
これに加えて、上記連結ポート１３１〜１３４のうち一部の連結ポート１３３に連結管１１３が結合されないと、上記チェック弁１３６の開閉部材１３６ａが加圧されない。その結果、上記連結ポート１３３の流路は閉鎖される。
【０１０１】
この場合、上記チェック弁１３６は、バネ１３６ｂとパッキング１３６ｃとの間の相互作用により、上記連結ポート１３３を通って外部の空気が流入するのを防止することができる。従って、上記連結管１１３が結合されない連結ポート１３３を通って上記開閉手段１６０の内部に空気が吸入するのを防止することができる。これに加えて、また、上記開閉手段１６０のディスク１６３が上記連結管１１３が結合されない連結ポート１３３を閉鎖するため、上記連結管１１３が結合されない連結ポート１３３は、２重遮断されて空気の流入を遮断される。
【０１０２】
従って、上記開閉手段１６０の内部の洗浄水に気泡が形成されるのを最小化して、上記循環ポンプ１７３が洗浄水を正常に汲み上げ、洗浄水の水圧を一定に保持することができる。そのため、上記循環ポンプ１７３が洗浄水を汲み上げるときのポンピング騷音を低減することができる。
【０１０３】
さらに、上記開閉手段１６０で洗浄水に気泡が発生するのを最小化させることで、上記開閉バルブ１６０の吐出側に配置された洗浄水検知部１７５で洗浄水の流圧や流量を正確に検知することができる。
【０１０４】
さらに、上記循環ポンプ１７３又は循環管１１７の洗浄水に気泡が発生することを最小化させるので、洗浄水が上記循環管１１７を流動するときに発生する騷音を低減させることができる。さらに、洗浄性能を向上させることもできる。
【０１０５】
一方、図示していないが、上記開閉手段１６０は、各連結ポート１３１〜１３４に個別に設置される複数のソレノイド弁を含むことができる。この場合、循環モジュール１２０に電源が印加されると、上記各ソレノイド弁が該当連結ポート１３１〜１３４の流路を開閉させる。
【０１０６】
ソレノイド型の開閉手段は、複数のソレノイド弁を用いるため、上記各連結ポート１３１〜１３４の流路開閉を正確に制御することが可能となる。
【０１０７】
図６は、洗浄装置の制御部と水処理機器の制御部が電源供給ケーブルに互いに連結された構造を示した構成図である。
【０１０８】
図６を参照すると、電源供給ケーブル１８５を介して上記水処理機器１の電子式弁に連結されるように接続端子１８１を上記循環モジュール１２０に形成することができる。
従って、上記循環モジュール１２０の接続端子１８１に電源供給ケーブル１８５の一側端子を接続させ、上記水処理機器１の接続端子５１に電源供給ケーブル１８５の他側端子を接続させると、電源供給ケーブル１８５を通じて電源が上記水処理機器１のコック３１、３２に供給され、上記水処理機器１のコック３１、３２を開閉させる。
【０１０９】
従って、上記洗浄装置１００は、水処理機器１のコック３１、３２が手動で開閉される場合と、電磁気的に開閉される場合の両方に使用することができる。
【０１１０】
ここで、上記のように構成された本発明による水処理機器用洗浄装置を水処理機器に設置する過程を説明する。
【０１１１】
図２を参照すると、上記水処理機器１を洗浄する必要がある場合、上記水処理機器１の電源プラグ（不図示）を抜いて電源供給を遮断する。
【０１１２】
上記水処理機器１の温水タンク２５が温水で満たされている場合は、上記温水コック３２を開放させて温水を完全に排水させる。その理由は、上記洗浄装置１００を水処理機器１に連結するときに温水で作業者がやけどすることを防止するためである。
【０１１３】
図３及び図４を参照すると、連結管１１１〜１１４の一側を上記水処理機器１の冷／浄水コック３１、温水コック３２及びドレン管３３、３４にそれぞれ結合させ、連結管１１１〜１１４の他側を上記循環モジュール１２０の連結ポート１３１〜１３４にそれぞれ結合させる。このとき、該当連結管１１１〜１１４のメッシュ網１１５が該当チェック弁１３６を加圧し、上記連結ポート１３１〜１３４の流路が開放される（図４参照）。さらに、上記連結管１１１〜１１４に結合されない連結ポート１３１〜１３４は、それぞれ、チェック弁１３６により閉鎖され、上記洗浄装置１００の内部流路に外部空気が流入するのを防止する。
【０１１４】
さらに、上記循環管１１７の一側は、上記フィルター部１０の吐出側の浄水管１１又は浄水タンク２１の水位調節部２２に結合される。上記循環管１１７の他側は、循環モジュール１２０の循環ポート１３７に結合される。
【０１１５】
上記水処理機器１のコック３１、３２を手動で操作する場合、上記コック３１、３２のレバーを加圧して全コック３１、３２を開放させる。この場合には、上記電源供給ケーブル１８５を設置する必要はない。
【０１１６】
さらに、上記水処理機器１のコック３１、３２を電子式弁によって開閉する場合、上記電源供給ケーブル１８５の両側端子が水処理機器１の接続端子５１と循環モジュール１２０の接続端子１８１に接続される（図６参照）。この場合、上記制御部１８０は電源供給ケーブル１８５を通じて上記水処理機器の接続端子５１に電源を印加する。上記水処理機器の接続端子５１に電源が供給されることにより、上記水処理機器のコック３１、３２が開放する。
【０１１７】
上記洗浄装置１００に洗浄剤投入部１２１と中和剤投入部１２２を設置しない場合には、上記水処理機器１の浄水タンク２１を開放した後に手動で洗浄剤を投入することができる。さらに、上記洗浄装置１００に洗浄剤投入部１２１を設置した場合には、上記洗浄剤投入部１２１を通じて自動で洗浄剤を投入することができる。
【０１１８】
上記循環モジュール１２０の電源コード１４７を外部電源に接続して、上記循環モジュール１２０のスイッチ１４８を操作することによって、電源が上記洗浄装置１００に供給される。
【０１１９】
ここで、上記のように構成された本発明の実施の形態による水処理機器の洗浄方法とその作用を説明する。
【０１２０】
図７は、本発明による洗浄装置の洗浄方法を示したフローチャートである。
【０１２１】
図７を参照すると、上記循環モジュール１２０の操作部１５０を操作して、上記コック３１、３２とドレン管３３、３４との接続数を設定する。上記洗浄装置１００の操作部１５０を用いて循環洗浄ボタン部１５１ｂ又は一括洗浄ボタン部１５１ｆが選択されると、上記洗浄装置１００の制御部１８０は、循環モジュール１２０の開閉手段１６０、循環ポンプ１７３、洗浄水検知部１７５、及び流路切り替え部１７１を稼働する。洗浄モードは、このようにして設定される（Ｓ１１）。
【０１２２】
このとき、上記水処理機器１の全流路に洗浄水が同時に供給されると、上記水処理機器１の流路構造により洗浄水の水圧偏向が部分的に発生することがある。即ち、洗浄水の高い水圧が上記水処理機器１の一部流路に作用し、その一方で、洗浄水の著しく低い水圧が他の流路に作用することがある。このように、水処理機器の全流路に洗浄水が同時に供給されると、洗浄水の水圧が著しく低いために洗浄されないデッドゾーン（dead zone）が発生することがあった。
【０１２３】
上記のようにデッドゾーンが発生することを防止するために、洗浄水を以下のように流動させる。
【０１２４】
上記洗浄装置１００の制御部１８０は、上記開閉手段１６０を制御して、少なくとも一つを含む各グループに分けられた上記コック３１、３２とドレン管３３、３４のグループを順に開放させ、上記水処理機器１の内部の流路を少なくとも一つの流路を含む各グループに分けたグループを通って、洗浄水が順に流動する。
【０１２５】
以下では、冷水タンク２３、冷水タンク２３のドレン管３３、温水タンク２５、温水タンク２５のドレン管３４を順に洗浄する場合で説明する。
【０１２６】
上記洗浄装置１００の制御部１８０は、連結管１１１と循環管１１７を開放させる（Ｓ１２）。即ち、上記開閉手段１６０を稼働することにより、冷／浄水コック３１と連結された連結ポート１３１の流路を開放させ、残りの連結ポート１３２〜１３４の流路は閉鎖する。
【０１２７】
さらに、上記循環ポンプ１７３を稼働して、冷／浄水コック３１を通じて上記浄水タンク２１と冷水タンク２３の洗浄水を排出させる（Ｓ１４）。
【０１２８】
これに加えて、上記洗浄装置１００の制御部１８０により流路切り替え部１７１を循環モードに切り替える（Ｓ１４）。このとき、上記洗浄装置１００の制御部１８０は、上記流路切り替え部１７１により循環管１１７を開放するとともに、洗浄水ドレン管１４８側を閉鎖する。
【０１２９】
上記冷／浄水コック３１の洗浄水は、循環ポンプ１７３、洗浄水検知部１７５、流路切り替え部１７１、及び循環管１１７を通って水位調節部２２に流入される。上記水位調節部２２に流入された洗浄水は、浄水タンク２１と冷水タンク２３に流入される。
【０１３０】
このような過程の間、上記洗浄水検知部１７５は、洗浄水の水圧または流量を測定して洗浄装置１００の制御部１８０に伝達する。
【０１３１】
洗浄水の水圧又は流量が既設定値に到達していないと判断すると、上記洗浄装置１００の制御部１８０は、上記循環ポンプ１７３を停止させて、上記洗浄装置１００のディスプレイ部１５３および／またはブザー１５５を用いてエラーメッセージおよび／またはアラームで知らせる。それ以外の場合は、上記循環ポンプ１７３は稼働し続ける。
【０１３２】
洗浄水の循環が既設定された時間行われる間に、上記浄水タンク２１、冷水タンク２３、一部の浄水管、冷／浄水コック３１、及び水位調節部２２が洗浄される。
【０１３３】
次に、上記洗浄装置１００の制御部１８０は、上記開閉手段１６０を稼働して温水コック３２と連結された連結ポート１３２を開放させて、他の連結ポート１３１、１３３、１３４を閉鎖させる。このとき、上記循環ポンプ１７３は、開閉手段１６０が稼働している間、一時的に停止するか、または稼働し続ける。
【０１３４】
その後、上記温水タンク２５の洗浄水は、温水コック３２を通じて排出される。上記温水コックの洗浄水は、循環ポンプ１７３、洗浄水検知部１７５、流路切り替え部１７１、及び循環管１１７を通って水位調節部２２に流入される。上記水位調節部２２に流入した洗浄水は、浄水タンク２１と温水タンク２５に流入される。
【０１３５】
浄水タンク２１と、温水タンク２５と、その流路に洗浄水が循環することにより、上記温水タンク２５とその流路が洗浄される。
【０１３６】
次に、上記洗浄装置１００の制御部１８０は、上記開閉手段１６０を稼働して、上記冷水タンク２３のドレン管３３と連結された連結ポート１３３を開放させるとともに、他の連結ポート１３１、１３２、１３４を閉鎖させる。その結果、上記浄水タンク２１、冷水タンク２３、冷水タンク２３、および冷水タンク２３のドレン管３３が洗浄される。
【０１３７】
さらに、上記洗浄装置１００の制御部１８０は、上記開閉手段１６０を稼働して上記温水タンク２５のドレン管３４が連結された連結ポート１３４を開放させ、他の連結ポート１３１〜１３３を閉鎖させる。その結果、上記浄水タンク２１、温水タンク２５、および温水タンク２５のドレン管３４が洗浄される。
【０１３８】
一方、上記温水タンク２５と各ドレン管３３、３４が洗浄される間、上記洗浄水検知部１７５は、洗浄水の水圧又は流量を測定して洗浄装置１００の制御部１８０に伝達する。洗浄水の水圧又は流量が既設定された値に到達しない場合に、上記制御部１８０は、循環ポンプ１７３を停止させてエラーメッセージやアラームで知らせることができる。
【０１３９】
上述したように、上記洗浄装置１００では、洗浄水が、浄水タンク２１、冷水タンク２３、温水タンク２５、冷水タンク２３のドレン管３３、及び温水タンク２５のドレン管３４に順に流動するため、上記洗浄水の流動する流路で洗浄水の水圧偏向を殆ど発生させないようにすることができる。従って、上記水処理機器１の流路を完全に洗浄することができる。
【０１４０】
さらに、上記洗浄装置１００は、人の手や洗浄道具が届くタンク２１、２３、２５と同様に、人の手や洗浄道具を届かせるのが困難な冷／浄水コック３１、ドレン管３３、３４、及び水位調節部２２も洗浄することができる。
【０１４１】
次に、上記洗浄装置１００の制御部１８０が循環洗浄時間に達したと判断すると（Ｓ１５）、上記循環ポンプ１７３を停止させることができる（Ｓ１６）。さらに、上記操作部１５０には洗浄完了に関するメッセージおよび／またはアラームをディスプレイ部１５３および／またはブザー１５５を通じて知らせることができる。
【０１４２】
上記洗浄装置１００の制御部１８０は、浄水タンク２１又は洗浄装置１００の内部への中和剤投入が完了したか否かを判断する（Ｓ１７）。
【０１４３】
中和剤投入が完了したと判断した場合には、上記循環ポンプ１７３を稼働する（Ｓ１８）。このとき、上記流路切り替え部１７１は、循環管１１７を開放するとともに洗浄水ドレン管１４８を閉鎖して、上記循環ポンプ１７３の洗浄水を循環管１１７に流動させる。
【０１４４】
洗浄水を中和させる場合は、少なくとも一つの流露を含む各グループに分けられた水処理装置の複数の流路のグループに順に洗浄水を循環させることができる。即ち、中和剤が含まれた洗浄水を、冷水タンク２３、温水タンク２５、冷水タンク２３のドレン管３３、及び温水タンク２５のドレン管３４に順に循環することができる。
【０１４５】
従って、上記洗浄水を中和させる場合、上記水処理機器の流路に発生する水圧差を最小化させることにより、上記水処理機器のタンクや流路に付着した洗浄剤を均一に中和させることができる。さらに、上記洗浄水の中和モードでも、水処理機器の洗浄水が停滞する区間を一掃することが可能となる。
【０１４６】
さらに、洗浄水を中和する間、上記洗浄水検知部１７５は、洗浄水の水圧又は流量を測定して洗浄装置１００の制御部１８０に伝達する。洗浄水の水圧又は流量が既設定された値に到達していな場合には、上記制御部１８０が循環ポンプ１７３を停止させ、あるいはエラーメッセージおよび／またはアラームを送ることができる。
【０１４７】
上記洗浄装置１００の制御部１８０が設定された中和時間に達したと判断すると（Ｓ１９）、上記流路切り替え部１７１が排水モードに切り替えられる（Ｓ２０）。このとき、上記流路切り替え部１７１は、循環管１１７を閉鎖するとともに洗浄水ドレン管１４８を開放させた状態に保持する。
【０１４８】
従って、上記水処理機器１の洗浄水は、中和剤により充分に中和された後、上記洗浄水ドレン管１４８を通じて外部に排出される。このとき、上記循環ポンプ１７３は、稼働し続けている。
【０１４９】
さらに、上記洗浄装置１００の制御部１８０は、中和モードが完了したことをディスプレイおよび／またはアラームで知らせることができる。
【０１５０】
上記洗浄装置１００の制御部１８０は、上記排水モードが完了したか否かを判断する（Ｓ２１）。このとき、上記洗浄装置１００の制御部１８０は、上記流路切り替え部１７１が排水モードに切り替わってからの時間を積算することにより、又は、上記洗浄水検知部１７５で検知した水圧及び流量を測定することにより、排水モードの完了を判断することができる。
【０１５１】
上記排水モードが完了したと判断すると、上記洗浄装置１００の制御部１８０は、ディスプレイおよび／またはアラームを通じて排水モード完了を知らせる。さらに、上記循環ポンプ１７３は停止される（Ｓ２２）。
【０１５２】
次いで、上記水処理機器１に新鮮な水を供給する（Ｓ２３）。即ち、使用者又は洗浄装置１００の制御部１８０は、水道管を通じて浄水タンク２１に水を流入させことができる。
【０１５３】
このとき、上記洗浄装置１００の制御部１８０は、浄水タンク２１を新鮮な水で満たす。上記浄水タンク２１が水で満たされると、上記水処理機器１への水の供給を停止する。
【０１５４】
上記浄水タンク２１が水で満たされた後には、設定された時間排水を停止させて、上記浄水タンク２１に残留している中和剤や洗浄剤を十分に洗浄することができる。
【０１５５】
次いで、上記浄水タンク２１が水で満たされ、設定された時間が過ぎると、上記浄水タンク２１の水を排水させる。上記洗浄装置１００は、浄水タンク２１から水が完全に排水されたことを判定することによって、洗浄モードの完了を判断する。
【０１５６】
上記洗浄モードが完了したと判断すると（Ｓ２４）、上記洗浄装置１００の制御部は、操作部１５０のディスプレイおよび／またはアラームを通じて洗浄モードが完了したことを知らせる。
【０１５７】
上述したように、洗浄装置は、少なくとも一つの流路を含む各グループに分けられた水処理機器のグループの流路内を洗浄し、洗浄水を中和させ、残留している洗浄剤や中和剤を清浄する。従って、使用者は、洗浄装置で洗浄操作をした後に綺麗な水を飲むことができる。
【産業上の利用可能性】
【０１５８】
本発明は、水処理機器の内部の手や洗浄道具が届き難い部分も洗浄することができるため、産業上に著しい利用可能性がある。
【図１】
0005721081.tif 000002
【図２】
0005721081.tif 000003
【図３】
0005721081.tif 000004
【図４】
0005721081.tif 000005
【図５】
0005721081.tif 000006
【図６】
0005721081.tif 000007
【図７】
0005721081.tif 000008